(57)【特許請求の範囲】
【請求項１】
明度と、彩度と、黄み寄りか青み寄りかのアンダートーンとで設定された１６の領域に、少なくとも１つの色相について前記色相ごとに前記色相を基調とした計１６の色見本が、前記各領域に設定された明度と、彩度と、アンダートーンとに合致するよう１つずつ配置された色彩分布図であって、
高中低の３段階のレベルに分けられた明度を規準とする軸と、
前記明度を規準とする軸と直交し、高中低の３段階のレベルに分けられた彩度を規準とする軸とを有し、
前記明度を規準とする軸を境に、黄み寄りか青み寄りかにより黄み寄りの領域と青み寄りの領域とに区画され、
前記黄み寄りの領域は、黄みの強弱によって黄みの強い領域と、黄みの弱い領域とに区画され、
前記黄みの強い領域は、明度が高の第１の領域と、明度が低の第５の領域との２つの領域に区画され、
前記黄みの弱い領域は、明度が高で彩度が低の第２の領域と、明度が高で彩度が中または高の第３の領域と、明度が中で彩度が高の第４の領域と、明度が中で彩度が低または中の第６の領域と、明度が低で彩度が低または中の第７の領域と、明度が低で彩度が高の第８の領域との６つの領域に区画され、
前記青み寄りの領域は、青みの強弱によって青みの強い領域と、青みの弱い領域とに区画され、
前記青みの強い領域は、明度が高の第９の領域と、明度が中または低の第１３の領域とに区画され、
前記青みの弱い領域は、明度が高で彩度が低の第１０の領域と、明度が高で彩度が中の第１１の領域と、明度が中で彩度が低または中の第１２の領域と、明度が中または高で彩度が中または高の第１４の領域と、明度が低または中で彩度が高の第１５の領域と、明度が低で彩度が低または中の第１６の領域との６つの領域に区画された色彩分布図。
【請求項２】
前記第１の領域〜前記第１６の領域が、境界線及び／又は共通する表現により４つのグループに分けられており、
前記第１の領域〜第４の領域を第１のグループ、前記第５の領域〜第８の領域を第２のグループ、前記第９の領域〜第１２の領域を第３のグループ、前記第１３の領域〜第１６の領域を第４のグループとする請求項１に記載の色彩分布図。
【請求項３】
複数の色相について、各色相の１６の色見本が前記第１の領域〜第１６の領域に配置されている請求項１または請求項２に記載の色彩分布図。
【請求項４】
各領域に配置された複数の色見本が環状に配置されており、対向配置されている２つの色見本が補色の関係となっている請求項３に記載の色彩分布図。
【請求項５】
前記第２〜４，７，８，１０，１１，１４〜１６の領域が、前記明度を規準とする軸を対称軸として円環状に配置されて、前記第６，１２の領域が前記円環内に前記明度を規準とする軸を挟んで配置され、前記第１，５，９，１３の領域が前記円環の外側に配置されている請求項１から４のいずれか１項に記載の色彩分布図。
【請求項６】
前記アンダートーンの強弱を示す軸をさらに備え、
前記明度を規準とする軸をこだわり軸と表記し、前記明度を規準とする軸のレベルは人のこだわりの度合いを示し、
前記彩度を規準とする軸を自己主張軸と表記し、前記彩度を規準とする軸のレベルは人の自己主張の度合いを示し、
前記アンダートンの強弱を示す軸を志向軸と表記し、前記黄みの強弱と前記青みの強弱は、人の志向の度合いを示す請求項５に記載の色彩分布図。
【請求項７】
請求項１〜６のいずれか１項に記載の色彩分布図の第１の領域〜第１６の各領域に振り分けられている少なくとも一つの色見本の色で呈色された１６個のツールからなる用具
【発明の詳細な説明】
【技術分野】
【０００１】
本発明は、人の外見に調和する色であるパーソナルカラーを診断し、またカラーセラピーを行うための色彩分布図及び用具に関する。
【背景技術】
【０００２】
人の外見的な色の特徴（肌色・目の色・髪の色）に調和する色をパーソナルカラーという。人は自身のパーソナルカラーを知ることで、身に着けるもの（衣服やアクセサリー、宝飾品、くつ・バッグなどの服飾雑貨）や、メイクカラー（化粧の色）、ヘアカラー（毛髪の染色）、ネイルカラー（爪に塗布する色）など、全身の配色（カラーコーディネート）を整えることができる。このように、パーソナルカラーの服やアクセサリーを身に着けることで、その人の魅力を引き出し、他人に好印象を与えることができる。
【０００３】
パーソナルカラーは被診断者の肌、目、髪などの色によって微妙に異なり、素人がこのような微妙なニュアンスを分析することは難しい。そこで、一般的には、パーソナルカラーアナリストと呼ばれる診断者が、「肌・髪・目の色みや明るさ、肌色と髪の色との色みや濃淡、コントラスト（対比）の強弱、白目と瞳の色とのコントラストの強弱と、身に着けるものの色みや明暗、コントラストの強弱とが共通するものが、調和する」という色彩調和論に基づき、診断方法を習得した上で技術力と経験によってパーソナルカラーを診断している。
【０００４】
一般的なパーソナルカラーの診断方法は、まず、所望の色相の色見本を呈したドレープといわれる布やボードを、後述する色の分類方法であるフォーシーズン分類のグループ毎に用意する。次に、診断者は複数の色見本のドレープを順次被診断者の胸元にあてて、被診断者の顔色の変化を観察し、被診断者の顔映りが良く、より良い印象になる色見本を選別していく。そして、被診断者に調和する色見本が最も多く属するグループの色を、被診断者のパーソナルカラーとしている。
【０００５】
フォーシーズン分類は、パーソナルカラーの診断方法に用いる色の分類として広く知られている。フォーシーズン分類は、1970年代にアメリカにおいて使われ始めたパーソナルカラーの分類であり、フォーシーズン分類の色見本は、四季のイメージに合わせて4つのグループに分類され、各グループに春夏秋冬（Spring, Summer, Autumn, Winter）の名称が使われている。この分類は、4シーズン・パーソナルカラーの名称で今日に至っている（非特許文献１）。
【０００６】
フォーシーズン分類は、詳細には、赤、橙、黄、緑、青、紫などの色相を、アンダートーン、明度、彩度、清濁の観点から、それぞれ春、夏、秋、冬の４つのグループ（種別）の色見本に色分けする分類である。まず、色相を、イエローアンダートーン（黄み）とブルーアンダートーン（青み）との２つに分類する。次に、イエローアンダートーンを２つのグループに分け、第１のグループを明清色（明るく澄んだ色）と純色（あざやかな色）で構成されたSpring（春）とし、第２のグループを暗清色（暗く澄んだ色）と濁色（にごった色）で構成されたAutumn（秋）としている。さらに、ブルーアンダートーンを２つのグループに分け、第３のグループを明清色（明るく澄んだ色）と濁色（にごった色）で構成されたSummer（夏）とし、第４のグループを暗清色（暗く澄んだ色）と純色（あざやかな色）で構成されたWinter(冬)としている。
【０００７】
また、一方で、人の心身の状態を色彩の効果によってより良い方向へ改善するカラーセラピーも広く行われている。各色にはそれぞれ、対応する言葉のイメージがある。また、人が何気なく選択する色は、その人の心理状態を示す。さらに、ある色の服などを身に着けたり身の回りに置いたりすることによって、自分や他人の心理状態に影響を与える。
【０００８】
例えば、赤が示す言葉のイメージは「生命力、エネルギー、情熱、怒り、革命」などであり、赤が示す人の心理状態は「チャレンジ精神や積極性がある」「気持ちが高ぶって、情熱と自信に満ち溢れている」状態である。また、赤い服を身に着けることで「強いパワーで人に訴えかける」「人の気持ちを湧き立たせる」などの影響を自分や他人に与えることができる。一方、青が示す言葉のイメージは「知性、理性、鎮静、冷静、誠実、消極的、静寂、清潔」などであり、青が示す人の心理状態は「精神的に疲れている」「気持ちが沈んでいる、孤独感や消失感を感じている」などである。また、青い服を身に付けることによって、「知的でスマートである」「落ち着く」「心地よい眠りを誘う」などの影響を自分や他人に与えることができる。
【０００９】
一般的なカラーセラピーの手法としては、まず、被診断者は、赤、橙、黄、緑、青、紫などの色相を中心にした色見本の中から、自分の気になる色、好みの色（嗜好色）を選択する。診断者は、被診断者が選択した色に対応する心理的意味やイメージを読み解いて、被診断者の性格や現在の心身の心理状態を把握する。そして、被診断者が、例えば、自身の性格を改善したい、現在の心身の状態を改善したいなど、自身を「こうありたい」と願う方向に改善したいと望むときは、選んだ色の反対色や体の状態をよりよい方向に導く色など、その心理的イメージや効果を持つ色をファッションやインテリアで取り入れるようにアドバイスする。被診断者は、その色がもつイメージや影響を意識することで、自身の心理状態を自身が望む方向に改善することができる。
【先行技術文献】
【非特許文献】
【００１０】
【非特許文献１】トミヤママチコ著、「はじめてのパーソナルカラー」、第２刷、株式会社学研パブリッシング、２０１３年４月２４日
【発明の概要】
【発明が解決しようとする課題】
【００１１】
パーソナルカラー診断において、従来のフォーシーズン分類では、同じ色相を基調とする４つの色見本を４つにグループ分けし、被診断者に調和する色見本が最も多く属するグループの色をパーソナルカラーとして診断している。しかし、４つの分類では、被診断者によってはぴったりと当てはまる色見本のグループが見つからないという問題があった。また、色見本の各グループへのグループ分けは、考案者により主観的かつ感覚的に行われており、色彩学の理論の下、明確な定義づけで行われているものではなく、例えば、春（Spring）の色は、「明るく、鮮やかで、あたたかい」とされているが、事実上は、鮮やか（高彩度）な色だけでなく、おだやか（中〜低彩度）な色も属している。このため、被診断者に調和する色見本を選択しても、その色見本が属するグループとの間に差が生じる、つまりは、選択された色見本が本当にそのグループに属する色であるかどうかが明確な定義づけで行わないため、最も調和すると診断されたグループの色（パーソナルカラー）が実際に被診断者に調和するものであるのかどうか曖昧であるという問題があった。この結果、被診断者である一般の人々がパーソナルカラー診断に対して不審（不信）を抱くことがあるという問題があった。
【００１２】
本発明は、上記した課題に着目してなされたものであり、被診断者の外見にぴったりと調和する色または被診断者の心理状態や性格に合う色のグループを診断する際に、被診断者に対してまたは被診断者が選択可能な色の種別数（グループ数）を増やすとともに、色の各グループへの色分けを色彩学の理論の下、明確な定義づけで行うことで、被診断者に対するパーソナルカラーの診断や診断されたパーソナルカラーに基づくカラーセラピーを的確に行えるようにし、被診断者の自己表現の改善に役立たせることを目的としている。
【課題を解決するための手段】
【００１３】
本発明の上記目的は、少なくとも１つの色相について、前記色相を基調としかつ互いに色の異なる１６の色見本が、明度と、彩度と、黄み寄りか青み寄りかのアンダートーンとにより１６の領域に振り分けられた色彩分布図であって、前記１６の色見本は、前記アンダートーンで黄み寄りか青み寄りかの２つの領域に振り分けられ、前記黄み寄りの領域に振り分けられた８つの色見本が、黄みの強弱によって黄みの強い２つの色見本と、黄みが弱い６つの色見本に分けられ、黄みが強い２つの色見本のうち、明度が高い色見本が第１の領域に配置され、明度が低い色見本が第５の領域に配置され、黄みが弱い６つの色見本のうち、明度が高く彩度が低い色見本が第２の領域に配置され、明度が高く彩度が中または高い色見本が第３の領域に配置され、明度が中で彩度が高い色見本が第４の領域に配置され、明度が中で彩度が低または中の色見本が第６の領域に配置され、明度が低く彩度が低または中の色見本が第７の領域に配置され、明度が低く彩度が高い色見本が第８の領域に配置され、前記青み寄りの領域に分けられた８つの色見本が、青みの強弱によって青みの強い２つの色見本と、青みが弱い６つの色見本に分けられ、青みが強い２つの色見本のうち、明度が高い色見本が第９の領域に配置され、明度が中または低い色見本が第１３の領域に配置され、青みが弱い６つの色見本のうち、明度が高く彩度が低い色見本が第１０の領域に配置され、明度が高く彩度が中の色見本が第１１の領域に配置され、明度が中で彩度が低または中の色見本が第１２の領域に配置され、明度が中または高で彩度が中または高の色見本が第１４の領域に配置され、明度が低または中で彩度が高い第１５の領域に配置され、明度が低く彩度が低または中の色見本が第１６の領域に配置されている色彩分布図を用いることにより達成される。
【００１４】
上記構成の色彩分布図の好ましい実施態様においては、前記第１の領域〜第１６の領域が４つのグループに分けられており、前記第１の領域〜第４の領域を第１のグループ、前記第５の領域〜第８の領域を第２のグループ、前記第９の領域〜第１２の領域を第３のグループ、前記第１３の領域〜第１６の領域を第４のグループとすることを特徴としている。
【００１５】
また、複数の色相について、各色相の１６の色見本が前記第１の領域〜第１６の領域に振り分けられていることが好ましい。さらに、各領域に振り分けられた複数の色見本が環状に配置されており、対向配置されている２つの色見本が補色の関係となっていてもよい。
【００１６】
また、上記構成の色彩分布図の好ましい実施態様においては、高中低の３段階のレベルに分けられた明度を規準とする軸と、前記明度を規準とする軸と直交し、高中低の３段階のレベルに分けられた彩度を規準とする軸とを有し、前記明度を規準とする軸を境に、前記黄み寄りの領域と前記青み寄りの領域とに区画されており、前記第２〜４，７，８，１０，１１，１４〜１６の領域が、前記明度を規準とする軸を対称軸として円環状に配置されて、前記第６，１２の領域が前記円環内に前記明度を規準とする軸を挟んで配置され、前記第１，５，９，１３の領域が前記円環の外側に配置されていることを特徴としている。
【００１７】
本発明の色彩分布図では、１または複数の所望の色相について、その色相を基調としかつ互いに色の異なる１６の色見本に分類し、各色見本を、色彩学上で用いられる明度、彩度およびアンダートーンを用いて定義付けされた第１の領域〜第１６の領域に配置している。よって、この色彩分布図に基づいてパーソナルカラーの診断を行うと、診断者は、被診断者に調和する色を、１６に分けられた色見本の中から選択することができるので、従来の４つのグループ分けられたフォーシーズン分類を用いたパーソナルカラーの診断よりも、被診断者に調和する色をより的確に診断することができる。また、第１の領域〜第１６の領域は、色彩学上で用いられる明度と彩度とアンダートーンとを用いて定義付けされているため、各領域に分類された色見本は色の特徴により正確に分類されている。よって、被診断者に対するパーソナルカラーの診断を的確に行うことができる。
【００１８】
このように、本発明の色彩分布図では、色相を１６の色見本に分け、各色見本を１６の領域に振り分けているが、これは、１６より少ない色見本を１６より少ない領域に振り分けた場合には、どの領域の色見本も被診断者に調和しないと診断される可能性が高まるという不都合が生じ、いずれかの領域の色見本が被診断者に調和すると診断者が無理に診断してしまい、診断者によってパーソナルカラーの診断結果が異なる場合が生じるおそれがあるからである。また、１６より多い色見本を１６より多い領域に振り分けた場合には、領域間の色の差異が小さくなるため、ある領域に属する色見本の色が被診断者に最も調和すると診断された場合でも、色彩の専門家ではない被診断者にとっては、最も調和すると診断された領域の色であるパーソナルカラーと、他の領域に属する色との区別が明確に付かず、被診断者がパーソナルカラーの診断結果を活かしきれないおそれがあるからである。
【００１９】
本発明の色彩分布図は、前記明度のレベルが人のこだわりの度合いとして表され、前記彩度のレベルが人の自己主張の度合いとして表され、前記黄みの強弱と前記青みの強弱は、人の志向の度合いとして表されるものであってもよい。
【００２０】
出願人は嗜好色調査を行い、明度のレベル、彩度のレベル、アンダートーンのレベルが、それぞれ人の性格である、こだわりの度合い、自己主張の度合い、志向の強さ（外向的か内向的か）として表されることを見出した。このため、色彩分布図上に配置された色見本のうち、好みの色や気になる色（嗜好色）の色見本を被診断者が選択することで、診断者は被診断者の性格や心理状態を把握することができる。また、パーソナルカラー診断で診断された被診断者は、自身のパーソナルカラーの心理的意味を知ることもできる。すなわち、本発明の色彩分布図をパーソナルカラー診断だけでなく、カラーセラピーにも用いることができる。
【００２１】
このように、本発明の色彩分布図をパーソナルカラー診断とカラーセラピーとの両方に用いて、パーソナルカラー診断とカラーセラピーとを連動させることで、その人の外見に調和する色とその人の好みの色や気になる色（嗜好色）との差を知ることができ、その人の自己表現の改善に役立てることができる。
【００２２】
例えば、パーソナルカラー診断とカラーセラピーの結果、その人の外見に調和する色が消極的なイメージを持つ薄い色であったとしても、被診断者が「人から見られるイメージを積極的で華やかにしたい」と希望する場合には、本来その人の外見に調和する色に加えて、積極的で華やかなイメージを持つ色を身に付けてもよい。これにより、外見的なイメージアップに繋がると共に、周りの人に「華やかなイメージ」を与えることができ、また、身に付けた色の心理的作用による相乗効果で、被診断者自身が「積極的になろう」とする意識を高めるマインドアップ効果を得ることもできる。
【００２３】
また、本発明の上記目的は、本発明の色彩分布図の第１の領域〜第１６の領域に振り分けられている少なくとも一つの色見本の色で呈色された１６個のツールからなる用具によっても達成される。
【００２４】
本発明の用具によれば、第１の領域〜第１６の領域に属する色が呈色された各ツールを順次被診断者の胸元にあてて、被診断者の顔色の変化を観察することで、パーソナルカラー診断において、人の外見によりぴったりと調和する色見本が多く属する領域の色であるパーソナルカラーを的確に診断することができる。また前記各ツールを被診断者に提示し、嗜好色を選択させることで、カラーセラピーを行うことができる。
【発明の効果】
【００２５】
本発明の色彩分布図または用具によれば、１または複数の色相について、その色相を基調としかつ互いに色の異なる１６の色見本が、明度と彩度とアンダートーンとにより１６の領域に振り分けられている。よって、この色彩分布図または用具を用いてパーソナルカラー診断を行うことで、診断者は、被診断者に調和する色を１６に分けられた色見本から選択することができるので、人の外見にぴったりと調和する色をより的確に診断することができる。また、本発明の色彩分布図または用具を用いてパーソナルカラー診断とカラーセラピーとを連動させることで、その人の外見に調和する色とその人の好みの色や気になる色（嗜好色）との差を知ることができ、その人の自己表現の改善に役立てることができる。
【図面の簡単な説明】
【００２６】
【図１】本発明の一実施形態に係る色彩分布図である。
【図２】図１の色彩分布図の変形例である。
【図３】図１の色彩分布図の変形例である。
【図４】本発明の他の実施形態に係る色彩分布図である。
【図５】本発明の一実施形態に係る用具である。
【発明を実施するための形態】
【００２７】
以下、本発明の一実施形態に係る色彩分布図について、添付図面を参照しながら説明する。以下、「色相」とは赤・黄・緑・青・紫など、色み（色合い）を示し、「明度」とは色みの明暗の度合いを示し、「彩度」とは色みの強弱の度合いを示す。また、「無彩色」とは色みのない白・灰色・黒を示し、彩度が０である。「有彩色」とは赤・黄・緑・青・紫などの色みのある色を示し、彩度を有する。
【００２８】
図１は、本発明の一実施形態に係る色彩分布図を示している。色彩分布図には、中央に縦軸である明度軸、下方に明度軸と直交する第１の横軸である彩度軸、上方に明度軸と直交する第２の横軸である黄み寄りか青み寄りかを示すアンダートーン軸が配置されている。
【００２９】
明度軸は、低明度（暗い）、中明度（中位の明るさ）、高明度（明るい）の３段階のレベルに分けられており、明度軸に沿って上に行くほど明度が高く（色みが明るく）なり、下に行くほど明度が低く（色みが暗く）なっている。理論的には、明度軸上は、彩度が０、すなわち無彩色であり、明度軸上の最上部は明度が最も高い白、明度軸上の最下部は明度が最も低い黒、白と黒の間は濃淡の色調が段階的に付いた白と黒の混色でできる灰色である。
【００３０】
なお、色彩学において用いられているＰＣＣＳ(Practical Color Co-ordinate System:日本色研配色体系)を使用した場合、黒の明度を1.0、白の明度を9.5とすると、本発明の色彩分布図において、低明度とはＰＣＣＳの明度1.0-3.5に相当し、中明度とは、ＰＣＣＳの明度4.0-7.0に相当し、高明度とはＰＣＣＳの明度7.5-9.5に相当する。
【００３１】
彩度軸は、明度軸を挟んで左右の両方向に延びており、明度軸に近づくと彩度が低く（すなわち、色みが弱い）、明度軸から離れると彩度が高くなっている（すなわち、色みが強い）。左右の両方向に延びる軸それぞれについて、低彩度（色みが弱い）、中彩度（色みの強さ中位）、高彩度（色みが強い）の３段階のレベルに分けている。
【００３２】
なお、色彩学において用いられているＰＣＣＳ(Practical Color Co-ordinate System:日本色研配色体系)を使用した場合、無彩色(色みのない色)を０ｓ、有彩色（色みのある色）のうち色相が異なっても鮮やかさ感が同じにそろえられる最も鮮やかな色を９ｓとすると、本発明の色彩分布図において、低彩度とはＰＣＣＳの彩度０ｓ−３ｓに相当し、中彩度とは、ＰＣＣＳの彩度４ｓ-６ｓに相当し、高彩度とはＰＣＣＳの彩度７ｓ-９ｓに相当する。
【００３３】
アンダートーン軸は、明度軸を挟んで左右の両方向に延びており、明度軸から左方向に延びる軸はイエローアンダートーン（黄み寄りの色）を示し、右方向に延びる軸はブルーアンダートーン（青み寄りの色）を示している。すなわち、色彩分布図は、明度軸を境に、黄み寄り（イエローアンダートーン）の領域と青み寄り（ブルーアンダートーン）の領域とに区画されている。各アンダートーン軸はそれぞれ、黄みの強弱、青みの強弱で２つのレベルに分けられている。
【００３４】
また、色彩分布図の黄み寄りの領域および青み寄りの領域は、アンダートーン、明度および彩度によりそれぞれ８つの領域に分割されており、色彩分布図は、計１６の領域（第１の領域〜第１６の領域）に分割されている。色彩分布図の第１の領域〜第１６の領域には、所定の色相に関して１６に色分けされた１６の色見本１０１〜１１６が、それぞれ１つずつ振り分けられている。表１に第１の領域〜第１６の領域に振り分けられた色見本の明度、彩度およびアンダートーンのレベルを示す。また、第１の領域〜第１６の領域に振り分けられた色見本１０１〜１１６には、表１および図１に示すように、それぞれ各色見本の特徴を示す名称が与えられている。
【００３５】
【表１】
0005599930.tif 000002
【００３６】
以下に、ある色相（図示例では緑色）について、緑色を基調としかつ互いに色の異なる１６の色見本１０１〜１１６を色彩分布図の１６の第１の領域〜第１６の領域に振り分ける方法を説明する。色見本１０１〜１１６は、まず、アンダートーンに基づき、黄み寄りの色か青み寄りの色かで明度軸を境とした二つの領域に振り分けられ、黄み寄りのイエローアンダートーン領域に振り分けられた８つの色見本１０１〜１０８が、黄みの強弱によって黄みの強い２つの色見本１０１，１０５と、黄みの弱い６つの色見本１０２〜１０４，１０６〜１０８に分けられる。また、黄みの強い２つの色見本１０１，１０５のうち、明度が高い方（明度のレベルが高または中）の色見本１０１が第１の領域（Warm−Spring）に配置され、明度が低い方（明度のレベルが低）の色見本１０５が第５の領域（Warm−Autumn）に配置される。
【００３７】
また、黄みが弱い６つの色見本のうち、明度のレベルが高く彩度のレベルが低い色見本１０２が第２の領域（Light−Spring）に配置され、明度のレベルが高く彩度のレベルが中または高い色見本１０３が第３の領域（Bright−Spring）に配置され、明度のレベルが中で彩度のレベルが高い色見本１０４が第４の領域（Vivid−Spring）に配置され、明度のレベルが中で彩度のレベルが低または中の色見本１０６が第６の領域（Muted−Autumn）に配置され、明度のレベルが低く彩度のレベルが低または中の色見本１０７が第７の領域（Deep−Autumn）に配置され、明度のレベルが低く彩度のレベルが高い色見本１０８が第８の領域（Strong−Autumn）に配置される。
【００３８】
一方で、青み寄りのブルーアンダートーンの領域に振り分けられた８つの色見本１０９〜１１６が、青みの強弱によって青みの強い２つの色見本１０９，１１３と、青みが弱い６つの色見本１１０〜１１２，１１４〜１１６に分けられる。青みが強い２つの色見本１０９，１１３のうち、明度が高い方（明度のレベルが高）の色見本１０９が第９の領域（Cool−Summer）に配置され、明度が低い方（明度のレベルが低または中）の色見本１１３が第１３の領域（Cool−Winter）に配置される。
【００３９】
また、青みが弱い６つの色見本１１０〜１１２，１１４〜１１６のうち、明度のレベルが高く彩度のレベルが低い色見本１１０が第１０の領域（Light−Summer）に配置され、明度のレベルが高く彩度のレベルが中の色見本１１１が第１１の領域（Bright−Summer）に配置され、明度のレベルが中で彩度のレベルが低または中の色見本１１２が第１２の領域（Muted−Summer）に配置され、明度のレベルが中または高で彩度のレベルが中または高の色見本１１４が第１４の領域（Clear−Winter）に配置され、明度のレベルが低または中で彩度のレベルが高い色見本１１５が第１５の領域（Vivid−Winter）に配置され、明度のレベルが低く彩度のレベルが低または中の色見本１１６が第１６の領域（Deep−Winter）に配置されている。
【００４０】
第１の領域〜第１６の領域のうち、第２〜４，７，８，１０，１１，１４〜１６の領域が、明度軸を対称軸として円環状に配置されており、第６，１２の領域は円環内に明度軸を挟んで配置されている。この円環とその内部に配置された第２〜４，６，７，８，１０，１１，１２，１４〜１６の領域からなる領域をトーン座標Ｔと称する。また、第１，５，９，１３の領域が前記円環の外側に配置されている。
【００４１】
トーン座標Ｔの領域に配置される１２の色見本１０２〜１０４，１０６〜１０８，１１０〜１１２，１１４〜１１６を、清濁で分類してもよい。清濁は、澄んだ色、濁った色のことであり、澄んだ色には、各色相で白も黒も含まれていない鮮やかな色である「純色」と、純色に白を混ぜて作った明るく澄んだ「明清色」、純色に黒を混ぜて作った暗く澄んだ「暗清色」がある。濁った色は「濁色」といい、純色に灰色を混ぜて作った色のことである。
【００４２】
トーン座標Ｔのうち、円環状に配置される領域に配置される色見本１０２〜１０４，１０７，１０８，１１０，１１１，１１４〜１１６の色は「清色」であり、このうち、明度が高のレベルである第２，３，１０，１１の領域の色見本１０２，１０３，１１０，１１１，１１４の色は「明清色」である。また、彩度が高のレベルである第４，１５の領域の色見本１０４，１１５の色は「純色」である。明度が低である第７，８，１６の領域の色見本１０７，１０８，１１６の色は「暗清色」である。トーン座標Ｔのうち、円環内に配置される第６，１２の領域に配置される色見本１０６、１１２の色は「濁色」である。
【００４３】
上記のように分類された第１の領域〜第１６の領域について、本実施形態の色彩分布図では、４つのグループに分類している。第１の領域〜第４の領域を、一つのグループとし、従来のフォーシーズン分類における春（Spring）のグループとしている。第９の領域〜第１２の領域を、一つのグループとし、従来のフォーシーズン分類における夏（Summer）のグループとしている。第５の領域〜第８の領域を、一つのグループとし、従来のフォーシーズン分類における秋（Autumn）のグループとしている。第１３の領域〜第１６の領域を、一つのグループとし、従来のフォーシーズン分類における冬（Winter）のグループとしている。つまり、図１において、明度軸を挟んで左側のイエローアンダートーンの領域に春のグループと秋のグループとが存在し、春のグループと秋のグループとの境界線が境界線Ｌ１で表されている。また、明度軸を挟んで右側のブルーアンダートーンの領域に夏のグループと冬のグループとが存在し、夏のグループと冬のグループとの境界線が境界線Ｌ２で表されている。
【００４４】
なお、図１の色彩分布図では、緑色の色相について１６の色見本１０１〜１１６を第１の領域〜第１６の領域に振り分けているが、複数種の色相について、色相ごとに１６の色見本２０１〜２１６を第１の領域〜第１６の領域に振り分けるようにしてもよい。図２に示す色彩分布図では、例として８種の色相（黄、黄緑、緑、青、紫、赤紫、赤、橙）について、色相ごとに１６の色見本２０１Ａ−Ｈ〜２１６Ａ−Ｈを、上記した方法で、第１の領域〜第１６の領域に振り分けており、第１の領域〜第１６の領域に振り分けられた複数の色見本２０１Ａ−Ｈ〜２１６Ａ−Ｈが環状に配置されている。なお、図２においては、色見本２０１にのみＡ〜Ｈの符号を付しており、色見本２０２〜２１６では符号Ａ〜Ｈを省略している。環状の上端位置に色相が黄色の色見本２０１Ａ〜２１６Ａが配置され、黄緑、緑、青、紫、赤紫、赤、橙の色見本が順に時計回りで配置されており、これにより、対向配置されている２つの色見本が補色の関係となっている。このように、色見本を対向配置させるために、色相の数は偶数であることが好ましい。
【００４５】
なお、第１の領域〜第１６の領域における色見本の配置の仕方は、図２に示すものに限定されない。各色相の色見本の配置は任意であってよく、他の色の色見本を上端位置に配置してもよい。また、各色相の色見本の配置の順序も本実施形態に限定されず、任意であってよい。また、図３に示すように、第１の領域〜第１６の領域ごとに、複数の色見本を、環状ではなく横に並べて配置してもよく、また、図示していないが、縦に並べて配置してもよい。
【００４６】
また、色見本は図１〜図３に示された色見本の色に限定されるものではない。各色見本は、各色見本が配置される各領域の明度のレベル、彩度のレベル、アンダートーンのレベルの色であればよく、色相も緑、緑、青、紫、赤紫、赤、橙に限定されず、他の色相であってもよい。
【００４７】
図４は、本発明の色彩分布図をカラーセラピーに用いた場合の実施形態を示す。図４の例においては、上記実施形態の色彩分布図における明度軸、彩度軸、アンダートーン軸を、それぞれ、こだわり軸、自己主張軸、志向軸と表記しており、その他の構成は図２と同様であるため説明を省略する。
【００４８】
出願人は、物事に執着しこだわる人ほど、明度の低い色を好む傾向にあり、淡泊でこだわらない性格の人ほど明度の高い色を好む傾向にあることを見出した。このため、縦軸は、明度軸として色の明暗を表していると同時に、「こだわり軸」と称して、その色を好む人の物事に対するこだわりの度合いを表している。こだわりのレベルも明度のレベルを基準に３段階のレベルに分けられており、低明度は「こだわる性格」に対応し、高明度は「こだわらない性格」に対応し、中明度は「どちらでもない性格」に対応している。
【００４９】
また、出願人は、自己主張の強い人は、彩度の高い色を好む傾向にあり、自己主張しない人は彩度の低い色を好む傾向にあることを見出した。このため、横軸は彩度軸として色みの強弱の度合いを表していると同時に、「自己主張軸」と称して、その色を好む人の自己表現における自己主張の強弱を表している。自己主張の度合いも彩度レベルを基準に３段階のレベルに分けられており、高彩度は「自己主張が強い性格」に対応し、低彩度は「自己主張が弱い性格」に対応し、中彩度は「どちらでもない性格」に対応している。
【００５０】
さらに、出願人は、イエローアンダートーンの色を好む人は外向的な性格であり、ブルーアンダートーンの色を好む人は内向的な性格であることを見出した。このため、イエローアンダートーン及びブルーアンダートーンの強弱を示す各アンダートーン軸を、「志向軸」と称して、外向性及び内向性の強弱（志向性）を表すようにしている。各志向軸は、アンダートーンのレベルを基準に２段階のレベルに分けられており、イエローアンダートーンが弱い（やや黄み）と「やや外向的な性格」に対応し、イエローアンダートーンが強い（黄みが強い）と「とても外向的な性格」に対応する。また、ブルーアンダートーンが弱い（やや青み）と「やや内向的な性格」に対応し、ブルーアンダートーンが強い（青みが強い）と「とても内向的な性格」に対応している。
【００５１】
人の志向、こだわり、自己主張をアンダートーン、明度、彩度に関連付けた図４の色彩分布図を用いることで、従来の色相のみでカラーセラピーを行う場合に比べ、人の心理状態や性格をより詳細に診断することができる。
【００５２】
図５は、上述したパーソナルカラーの診断またはカラーセラピーに用いられる、本発明の一実施形態に係る用具を示している。この用具は、１６個のツールから構成されており、各ツールは、本発明の色彩分布図において第１の領域〜第１６の領域に振り分けられている少なくとも一つの色見本の色で呈色されている。すなわち、１のツールは１の領域に属する少なくとも一つの色見本の色で呈色されている。
【００５３】
本実施形態においては、図５に示す（ａ）第１のツール〜（ｈ）第８のツールは、それぞれ、イエローアンダートーンの領域（第１の領域〜第８の領域）に振り分けられている色見本の色から選択された、５種の色相の色見本の色（赤、橙、黄、緑、青）で呈色されている。
【００５４】
図５の（ｉ）第９のツール〜（ｐ）第１６のツールは、それぞれ、ブルーアンダートンの領域（第９の領域から第１６の領域）に振り分けられている色見本の色から選択された５種の色相の色見本の色（赤、黄、緑、青、紫）および３種の無彩色（白、黒、灰色）から、５つを選んで呈色されている。
【００５５】
橙の色相は（ａ）第１のツール〜（ｈ）第８のツールにのみ用いられているが、これは、橙はもっとも暖かい色であるため、冷たさを感じる色が多いブルーアンダートーンの領域には属さず、イエローアンダートーンの領域にのみ属するためである。また、紫の色相および無彩色である白、黒、灰色は冷たさを感じる色のため、ブルーアンダートーンの領域に属する色を呈色する（ｉ）第９のツール〜（ｐ）第１６のツールにのみ用いられている。
【００５６】
なお、各ツールにおいて、呈色される色相の種類は図５の本実施形態に限定されるものではなく、他の色相であってもよい。また、ツールごとに異なる種類の色相の色が呈色されていてもよい。      
さらに、（ｉ）第９のツール〜（ｐ）第１６のツールにおいては、無彩色を呈色せず、５種の色相の色見本の色のみを呈色してもよい。      
また、ツールに呈色される色相の種類は１６個のツールで全て同じであってもよい。  
さらに、ツール毎に呈色される色相の順序が異なっていてもよく、同じであってもよい。
【００５７】
なお、各ツールに呈色される色の数は５色に限定されるものではないが、複数種の色がツールに呈色されていることが好ましい。ツールに複数種の色が呈色されている場合には、被診断者の顔や胸元にツールをあてがってパーソナルカラーを診断したり、被診断者に好みの色が呈色されたツールを選ばせてカラーセラピーを行う場合に、１種類の色だけがツールに呈色されている場合と比べて、ツールの数が少なくて済むので、素早くパーソナルカラーの診断やカラーセラピーを行うことができる。
【００５８】
ツールの素材は限定されるものではなく、ツールとして、例えばカードや布（ドレープ）、ボードを用いることができる。ツールとして布を用いる場合には、布を被診断者の胸元にあてがって、布に呈色された各色を被診断者の顔色と比較できる程度の大きさとすることで、パーソナルカラーの診断に好適に用いることができる。また、ツールを、複数種の色相の色が呈されたカード型とすれば、１６枚のカードを机の上に並べて被診断者に見てもらうようにすることで、カラーセラピーを好適に行うことができる。
【００５９】
次に、本発明の色彩分布図や用具を用いてパーソナルカラー診断およびカラーセラピーを行う方法について説明する。まず、パーソナルカラーの診断について説明する。診断者は、用具を構成する１６個のツール（好ましくは布）から１つのツールを取り出し、被診断者の顔や胸元にあて、被診断者の顔色と比較する。ツールに複数種の色相が呈色されている場合には、診断者はツールをずらせて各色相の色を被診断者の顔色と比較する。１つのツールに呈色された複数種の色と顔色との比較が終わると、診断者は他のツールを取り出し、同様に被診断者の顔色と比較していく。こうして、１６個のツールに呈色された色を順次、被診断者の顔色と比較して、顔色の変化を観察し、被診断者にとってより良い印象になる色が最も多く呈色されたツールを選定する。図１〜図３の色彩分布図の第１の領域〜第１６の領域の中で、このツールに呈色された色と対応する色が属する領域の色が、被診断者の外見に調和する色であり、この色を被診断者のパーソナルカラーと診断する。
【００６０】
次に、カラーセラピーについて説明する。診断者は、用具を構成する１６個のツール（好ましくはカード）を被診断者に提示し、被診断者に好きな色が呈色されたツール、気になる色が呈色されたツールを選択してもらい、被診断者の嗜好色を診断する。
【００６１】
被診断者が好きな色として選択した色は、被診断者の性格を表し、気になる色として選択した色（何気なく選んだ色）は、被診断者のそのときの心身の状態を示す。診断者は被診断者が選択したツールに呈色された色が、図４の色彩分布図のどの領域に属する色かを判断し、その領域が示す人の性格、すなわち、人の志向、こだわり、自己主張の度合いから、被診断者の性格（パーソナリティ）や、心身の状態や、行動パターンを診断する。また、パーソナルカラーの診断で判明した自身のパーソナルカラーの心理的意味を図４の色彩分布図から診断する。
【００６２】
なお、ツールとして用いたカードの裏に、呈色された色が属する領域が示す人の性格、すなわち、人の志向、こだわり、自己主張の度合いや、その色が持つ言葉のイメージ、人に与える影響などを予め記載しておいてもよい。この場合には、被診断者にツール（カード）を選択してもらった後、図４の色彩分布図を参照することなく、ツール（カード）により被診断者の性格（パーソナリティ）や心身の状態、行動パターンを診断する。
【００６３】
本願発明によれば、１または複数の所望の色相について、その色相を基調としかつ互いに色の異なる１６の色見本に分類し、各色見本を、色彩学上で用いられる明度、彩度およびアンダートーンを用いて定義付けされた第１の領域〜１６の領域に配置している。よって、この色彩分布図に基づいてパーソナルカラーの診断を行うと、診断者は、被診断者に調和する色を、１６に分けられた色見本の中から選択することができるので、従来の４つのグループ分けられたフォーシーズン分類を用いたパーソナルカラーの診断よりも、被診断者に調和する色をより的確に診断することができる。また、第１の領域〜第１６の領域は、色彩学上で用いられる明度と彩度とアンダートーンとを用いて定義付けされているため、各領域に分類された色見本は色の特徴により正確に分類されている。よって、被診断者に対するパーソナルカラーの診断を的確に行うことができる。
【００６４】
また、本発明の色彩分布図と用具をパーソナルカラー診断とカラーセラピーとの両方に用いて、パーソナルカラー診断とカラーセラピーとを連動させることで、その人の外見に調和する色とその人の好みの色や気になる色（嗜好色）との差を知ることができる。その結果、診断者は、その人の外見的かつ心理的に個人の特性を活かし、自己表現の改善に役立ち、個人が表現したい自己表現に合ったカラーコーディネートを提案することができる。
【００６５】
例えば、被診断者が自身の性格を改善したいと思っている場合、診断者は被診断者に本来外見に調和する色に加えて、好きなカードとして選択した色と反対色を身に付けるようアドバイスする。なお、反対色とは、色相での補完や、明度での反対色、彩度での反対色を示す。これにより、外見的なイメージアップに繋がるとともに、身に付けた色の心理的作用による相乗効果で、心理的マインドアップの効果を期待することができる。
【符号の説明】
【００６６】
１０１〜１１６  色見本
２０１〜２１６  色見本
Ｔ  トーン座標
Ｌ１，Ｌ２  境界線
【要約】
【課題】パーソナルカラー診断とカラーセラピーを連動させることで、その人の外見に調和する色とその人の好みの色や気になる色（嗜好色）との差を知り、その人の自己表現の改善に役立たせる。
【解決手段】少なくとも１つの色相を基調としかつ互いに色の異なる１６の色見本が１６の領域に振り分けられた色彩分布図であり、１６の色見本は、黄み寄りか青み寄りかの２つの領域に振り分けられ、黄み寄りの領域の８つの色見本が、黄みの強い２つの色見本と、黄みが弱い６つの色見本に分けられ、黄みが強い２つの色見本は明度により第１または第５の領域に配置され、黄みが弱い６つの色見本は明度と彩度により第２−４、６−８の領域に配置され、青み寄りの領域の８つの色見本が、青みの強い２つの色見本と、青みが弱い６つの色見本に分けられ、青みが強い２つの色見本は明度によって第９または第１３の領域に配置され、青みが弱い６つの色見本は明度と彩度とにより第１０―１２、１４―１６の領域に配置されている。
【選択図】図１【図１】
0005599930.tif 000003
【図２】
0005599930.tif 000004
【図３】
0005599930.tif 000005
【図４】
0005599930.tif 000006
【図５】
0005599930.tif 000007